(57)【要約】  目標の映像を撮るための映像撮影メカニズムは、支持プラットフォームと、この支持プラットフォームから支持ケーブルにより吊るされているカメラ・プラットフォームと、このカメラ・プラットフォームに取り付けられているカメラと、このカメラと組み合わせられた安定化メカニズムとを含む。上記の装置を組み合わせられている、映像撮影および広告メカニズムを用いて映像を撮る方法も開示されている。広告媒体が支持プラットフォームあるいはカメラ・プラットフォームに取り付けられていて、注意を惹く広告スペースを、映像撮影メカニズムが用いられている開催開催場所に設ける。  【選択図】    図１
2009514268.tif 000002
【特許請求の範囲】
【請求項１】
支持プラットフォームと、
上記の支持プラットフォームから支持ケーブルで吊るされたカメラ・プラットフォームであって、上記の支持ケーブルの第１端は、支持プラットフォームに、その第２端はカメラ・プラットフォームに取り付けられており、
上記のカメラ・プラットフォームに取り付けられたカメラと、
撮影された映像とカメラとの少なくとも１つを安定化させるためにカメラと組み合わせられている安定化メカニズムと
からなる目標の映像を撮影するための映像撮影メカニズム。
【請求項２】
更に、支持プラットフォームに取り付けられ、第３端および第４端とを有する移送ケーブルと、
上記の第３端が取り付けられた第１アンカーと、
上記の第４端が取り付けられた第２アンカーとを備え、支持プラットフォームが第１および第２アンカーに対し移動自在である請求項１に記載の映像撮影メカニズム。
【請求項３】
上記の支持ケーブルが複数の支持ケーブルからなり、この複数の支持ケーブルが第１、第２、第３、第４、第５および第６番目の支持ケーブルからなり、これらの支持ケーブルが、第１、第２、第３、第４、第５および第６番目のカメラ・ウィンチにより支持プラットフォームに取り付けられている請求項１に記載の映像撮影メカニズム。
【請求項４】
更に、カメラ・プラットフォームおよび支持プラットフォームの少なくとも１つに取り付けられた広告媒体を備える請求項１に記載の映像撮影メカニズム。
【請求項５】
上記の広告媒体が、カメラ・プラットフォームおよび支持プラットフォームの少なくとも１つに固定されている旗からなり、この旗には広告が印刷されている請求項４に記載の映像撮影メカニズム。
【請求項６】
更に、支持プラットフォームからカメラに延びる繋ぎケーブルを備える請求項１に記載の映像撮影メカニズム。
【請求項７】
上記の繋ぎケーブルが光ファイバー・ケーブルからなる請求項６に記載の映像撮影メカニズム。
【請求項８】
更に、複数個のカメラ・ウィンチが支持プラットフォームに取り付けられており、支持ケーブルは複数の支持ケーブルからなり、複数個のカメラ・ウィンチの各々が複数の支持ケーブルの１つと組み合わせられており、カメラ・ウィンチは、支持プラットフォームに対しカメラ・プラットフォームを移動するように作動可能であり、
制御器がカメラ・ウィンチと連絡している請求項１に記載の映像撮影メカニズム。
【請求項９】
更に、第１移送ケーブルと第２移送ケーブルが支持プラットフォームに取り付けられており、この支持プラットフォームは第１および第２移送ケーブルに沿って移動自在であり、
第１および第２スプレッダ・バーが第１および第２移送ケーブルに取り付けられており、第１および第２スプレッダ・バーが延展長さを有し、第１および第２スプレッダ・バーが第１および第２ケーブルを分離させている
請求項８に記載の映像撮影メカニズム。
【請求項１０】
バッテリが支持プラットフォームに取り付けられて、パワーを少なくともカメラに供給し、
制御器が支持プラットフォームに取り付けられており、少なくともカメラにより撮影された映像を記憶し、
無線周波数装置が支持プラットフォームに取り付けらおり、カメラからの映像の少なくとも１つを制御器に送信し、指令信号を制御器からカメラにそして指令信号を制御器からカメラ・ウィンチに送信する請求項８に記載の映像撮影メカニズム。
【請求項１１】
支持プラットフォームとカメラ・プラットフォームとがカメラ軸上同軸方向に取り付けられており、支持ケーブルが複数のケーブルからなり、この複数のケーブルの各々がカメラ軸に対し支持角度を形成し、安定化メカニズムが上記複数の支持ケーブルからなる請求項１に記載の映像撮影メカニズム。
【請求項１２】
更に、複数個のカメラ・ウィンチが支持プラットフォームに取り付けられており、支持プラットフォームが開催場所の一部を構成する請求項１に記載の映像撮影メカニズム。
【請求項１３】
更に、制御器と、
支持プラットフォームとカメラ・プラットフォームとの１つに取り付けられたプロジェクタとからなり、このプロジェクタが制御器と連絡していて、広告サインをカメラ・プラットフォームの下方の受け取り面に向ける
請求項１に記載の映像撮影メカニズム。
【請求項１４】
支持ケーブルが複数個の支持ケーブルからなり、安定化メカニズムが、支持プラットフォームから支持角度でのびる複数個の支持ケーブルの少なくとも１つと、複数の支持ケーブルに取り付けられた緩衝器と、支持プラットフォームに対するカメラ・プラットフォームの移動を制御する制御器と、ジャイロスコープと、フライホイールとからなる請求項１に記載の映像撮影メカニズム。
【請求項１５】
更に、カメラ・ウィンチが支持プラットフォームに取り付けられており、少なくとも１つの支持ケーブルの第１端がカメラ・ウィンチに取り付けられていて、
制御器がカメラ・ウィンチとカメラ・プラットフォームと連絡しており、
安定化メカニズムが、注視領域に対しカメラ・プラットフォームを安定化させるためカメラ・ウィンチと上記の少なくとも１つの支持ケーブルとを作動制御する制御器を備える請求項１に記載の映像撮影メカニズム。
【請求項１６】
制御器が、カメラ軸およびほぼ水平のカメラ軸を中心に、カメラ・プラットフォームを支持プラットフォームに対し移動させるようにカメラ・ウィンチを制御する請求項１に記載の映像撮影メカニズム。
【請求項１７】
注視領域、観客席領域と視覚ラインとを有する開催場所で映像を撮影するための映像撮影メカニズムであって、
上記の開催場所に対し移動自在であり、視覚ラインの外側に位置する支持プラットフォームと、
上記の支持プラットフォームに取り付けられた少なくとも１つのカメラと、
上記の支持プラットフォームから、少なくとも１つの支持ケーブルにより吊るされたカメラ・プラットフォームであって、上記の少なくとも１つの支持ケーブルが少なくとも１つのカメラ・ウィンチに固定されていて、上記のカメラ・プラットフォームが、少なくとも１つのカメラ・ウィンチにより支持プラットフォームに対し少なくとも垂直方向に移動自在であるものと、
カメラ・プラットフォームに取り付けられたカメラと、
カメラ・プラットフォームと支持プラットフォームとの少なくとも１つに取り付けられた広告媒体と
からなるメカニズム。
【請求項１８】
上記の広告媒体がカメラ・プラットフォームと支持プラットフォームとの１つに固定された旗からなり、この旗には広告が印刷されている請求項１７に記載の映像撮影メカニズム。
【請求項１９】
広告媒体がメッセージ・ボードからなり、このメッセージ・ボードが広告媒体上で連続的に広告を変化させ、制御器が広告媒体と連絡していて、広告を所定時間間隔で変化させる請求項１７に記載の映像撮影メカニズム。
【請求項２０】
観客席領域と注視領域とを有する競技場で映像を撮影するための映像撮影メカニズムであって、視覚ラインが観客席領域と注視領域との間に形成され、
上記の競技場に対し移動自在であり、視覚ラインの外側で移動自在である支持プラットフォームと、
上記の支持プラットフォームから複数の支持ケーブルにより吊るされていて、支持プラットフォームに対し移動自在であるカメラ・プラットフォームと、
観客席領域と注視領域の少なくとも１つの映像を撮影するため、カメラ・プラットフォームに移動自在に取り付けられているカメラとからなる映像撮影メカニズム。
【請求項２１】
更に、制御器が支持プラットフォームと、カメラ・プラットフォームと、カメラと連絡している請求項２０に記載の映像撮影メカニズム。
【請求項２２】
更に、少なくとも１つのセンサが制御器と連絡している請求項２１に記載の映像撮影メカニズム。
【請求項２３】
上記の少なくとも１つのセンサが動作センサからなり、上記の制御器が、動作センサからの動作領域の動きの表示に基づいて動作領域に焦点を合わせるようカメラを向ける請求項２２に記載の映像撮影メカニズム。
【請求項２４】
注視領域が競技フィールドからなる請求項２０に記載の映像撮影メカニズム。
【請求項２５】
観客席領域と注視領域とを有する競技場で、支持プラットフォームと、この支持プラットフォームから複数の支持ケーブルにより吊るされているカメラ・プラットフォームと、制御器と、上記の競技場に対し移動自在であるカメラとを含む映像撮影メカニズムで映像を撮影する方法であって、
ａ)  少なくとも注視領域の１部に亘って支持プラットフォームを位置決めし、
ｂ)  上記の支持プラットフォームに対し、カメラ・プラットフォームを映像撮影個所へ移動させ、
ｃ)  カメラを目標に向けるため、カメラ・プラットフォームに対しカメラを移動させ、カメラ・プラットフォームが、上記の注視領域に対しほぼ水平位置から、カメラ・プラットフォームが上記の水平位置に対しカメラ・ピッチ角度を形成する位置まで移動し、
ｄ)  目標にカメラの焦点を合わせ、
ｅ)  目標の映像をカメラを用いて撮影し、撮った映像を制御器に送り、
ｆ)  その映像を記憶する
ことからなる映像撮影方法。
【請求項２６】
上記の支持プラットフォームが、工程ａ)でこれを、競技場に取り付けた少なくとも１つの移送ケーブルに沿い移動することにより位置決めされ、この移送ケーブルが第３端と第４端とを有し、支持プラットフォームが第３端に近接する位置と第４端に近接する位置との間で移動自在である請求項２５に記載の映像撮影方法。
【請求項２７】
カメラがビデオ・カメラからなり、このカメラが工程ｅ)でビデオ映像を撮る請求項２５に記載の方法。
【請求項２８】
カメラが、ビデオ・カメラと静止カメラとからなり、更に
ｄ１)  工程(ｄ)で、注視領域のフィールドの目標領域にビデオ・カメラの焦点を合わせ、
ｄ２)  工程(ｄ)で、静止カメラの焦点を観客席領域に合わせ、
ｅ１)  工程(ｅ)で、ビデオ・カメラを用いてフィールドの目標領域のビデオ映像を撮り、
ｅ２)  工程(ｅ)で、観客席領域の光景の静止映像を撮る
ことからなる請求項２５の方法。
【請求項２９】
制御器が動作センサと連絡していて、工程(ｂ)の前に動作センサから動作信号を受け取り、工程(ｄ)での目標が、動作センサがその競技場の動作を感知する領域により形成される動作領域である請求項２５の方法。
【請求項３０】
更に、
ｇ)  工程(ｆ)の記憶映像を、放送トラック、テレビおよび第２次制御器の少なくとも１つに送信する工程(ｇ)を含む請求項２５に記載の方法。
【請求項３１】
開催場所の各個人に広告を出す、この開催場所に取り付けられた広告メカニズムであって、
開催場所に取り付けられた第１アンカーと、
開催場所に取り付けれた第２アンカーと、
第１端と第２端とを有する移送ケーブルであって、その第１端が第１アンカーに、その第２端が第２アンカーに固定されており、
移送ケーブルに移動自在に取り付けられた支持プラットフォームと、
支持プラットフォームが移送ケーブルに対し移動するにつれて各個人が支持プラットフォームと広告媒体に注意が惹かれるように支持プラットフォームに取り付けられた広告媒体と、
からなる広告メカニズム。
【請求項３２】
更に、支持プラットオームから複数の支持ケーブルにより吊り下げられていて、支持プラットフォームに対し移動自在であるカメラ・プラットフォームと、
カメラ・プラットフォームに取り付けられたカメラとを
備える請求項３１に記載の広告メカニズム。
【請求項３３】
更に、支持プラットフォームに取り付けられ、上記の複数の支持ケーブルと組み合わせられている複数個のカメラ・ウィンチと、
カメラ・ウィンチとカメラとに連絡していて、注視領域に対しカメラを安定化させるためカメラ・ウィンチを制御し、注視領域の映像を撮るようカメラを制御する制御器とを
備える請求項３２に記載の広告メカニズム。
【請求項３４】
目標の映像を撮るための映像撮影メカニズムであって、
支持プラットフォームと、
上記の支持プラットフォームから複数のケーブルにより吊るされているカメラ・プラットフォームであって、各支持ケーブルの第１端が支持プラットフォームに、その第２端がカメラ・プラットフォームに取り付けられているものと、
カメラ・プラットフォームに取り付けられたカメラであって、支持プラットフォームとカメラ・プラットフォームとがカメラ軸上同軸方向に取り付けられており、複数の支持ケーブルの各々がカメラ軸に対し支持角度を形成するもの
とからなる映像撮影メカニズム。
【請求項３５】
更に、カメラと連絡する制御器を備え、この制御器が制御信号をカメラに送信し、カメラがこの制御器に、撮った映像を送る請求項３４に記載の映像撮影メカニズム。
【請求項３６】
更に、支持プラットフォームに取り付けられた複数個のカメラ・ウィンチを備え、これら複数個のカメラ・ウィンチの各々が複数の支持ケーブルの１つと組み合わせられており、これら複数個のカメラ・ウィンチが制御器と連絡していて、この制御器が、目標に対しカメラを安定化させるため上記複数個のカメラ・ウィンチに作動信号を与える請求項３５に記載の映像撮影メカニズム。
【請求項３７】
更に、
移送ケーブルが支持プラットフォームに取り付けられ、第３端と第４端とを有し、
第１アンカーであって、この第１アンカーに上記第３端が取り付けられており、
第２アンカーであって、この第２アンカに上記の第４端が取り付けられており、支持プラットフォームが第１および第２アンカーに対し移動自在である
請求項３４に記載の映像撮影メカニズム。
【請求項３８】
更に、移送ウィンチが支持プラットフォームと移送ケーブルに取り付けられており、
制御器が移送ウィンチと連絡していて、移送信号を移送ウィンチに与え、支持プラットフォームを移送ケーブルに沿い移動させる
請求項３７に記載の映像撮影メカニズム。
【発明の詳細な説明】
【技術分野】
【０００１】
本願は、その名称が“映像撮影用空中支持構造体および方法”である２００５年９月７日出願の米国仮特許出願Ｎｏ.６０／７１４,９２６と、その名称が“映像撮影用空中支持構造体および映像撮影方法”である２００６年１月１０日出願の米国仮特許出願Ｎｏ.６０／７５７,７５７に基づく優先権を主張し、これら各々をここに組み込む。
【背景技術】
【０００２】
本発明は、映像撮影メカニズムおよびその方法に関する。特に、映像撮影メカニズムは、支持プラットフォームから吊るされたカメラ・プラットフォームを含み、上記の支持プラットフォームに対して、カメラ・プラットフォームが移動自在である。映像撮影メカニズムは比較的軽くて、据付と操作に費用がかからない。映像撮影メカニズムは、ビデオ映像を撮影するため静止映像あるいは写真を撮影することを含む多数の作業を行なうのに用いられる。この映像撮影メカニズムは多目的で、比較的費用がかからず、開催場所で操作するのに安全である。
【発明の開示】
【発明が解決しようとする課題】
【０００３】
幾つかの種類の映像撮影メカニズムおよび方法が周知である。例えば、カメラを移動プラットフォームに取り付けて、カメラを用いて映像を撮影するための色々の優位点を設けることは既知である。加えて、開催場所で、カメラを色々なケーブルから吊り下げて、その開催場所でカメラを用いて、映像を撮影するための可変優位点を提供することも既知である。そのような従来例の映像撮影メカニズムは一般に構築して使用するのが困難であり、しばしば費用がかかり、特別のタイプのセッティングをしたイベントでの観衆にとって気の散る、障害物となる。
【０００４】
そこで、構築して、使用するのに比較的費用がかからず、開催場所に永久に据え付けることができ、映像を撮影するためその開催場所の周囲を素早く安全に移動できて目を奪う広告スペースをその開催場所に設け、その開催場所でのイベントを見るのに障害とならず、安定した映像を提供し、イベントから捕らえた映像を販売し編集することのできる、映像撮影メカニズムを開発することが望ましい。
【課題を解決するための手段】
【０００５】
簡単に言えば、本発明は目標の映像を撮影するための映像撮影メカニズムに関する。この映像撮影メカニズムは支持プラットフォームと、この支持プラットフォームから支持ケーブルにより吊り下げられたカメラ・プラットフォームと、このカメラ・プラットフォームに取り付けられたカメラと、このカメラと組み合わせられた安定化メカニズムとを含む。上記の支持ケーブルの第１端は上記の支持プラットフォームに、その第２端はカメラ・プラットフォームに取り付けられている。上記の安定化メカニズムは撮影した映像あるいはカメラを安定化させる。
【０００６】
もう１つの面では、本発明は、注視領域と、観客席領域と、視覚ラインとを有する開催場所で映像を撮影するための映像撮影メカニズムに関する。この映像撮影メカニズムは、その開催場所に対し移動自在な支持プラット・フォームを含む。この支持プラット・フォームは上記の視覚ラインの外側に位置する。カメラ・ウィンチが支持プラット・フォームに取り付けられており、カメラ・プラットフォームは少なくとも１つの支持ケーブにより上記の支持プラットフォームから吊り下げられている。この少なくとも１つの支持ケーブルはカメラ・ウィンチに固定されている。上記のカメラ・プラットフォームは、カメラ・ウィンチの作用により支持プラットフォームに対し少なくとも垂直方向に移動自在である。カメラはカメラ・プラットフォームに取り付けられており、広告媒体はカメラ・プラットフォームあるいは支持プラットフォームに取り付けられている。
【０００７】
もう１つの面では、本発明は、観客席領域と注視領域とを有する開催場所で映像を撮影するための映像撮影メカニズムに関する。視覚ラインは観客席領域と注視領域との間で形成されている。この映像撮影メカニズムは、この視覚ラインの外側で開催場所に対し移動自在な支持プラットフォームを含む。カメラ・プラットフォームは複数個の支持ケーブルにより支持プラットフォームから吊り下げられており、支持プラットフォームに対し移動自在である。カメラは、観客席領域あるいは注視領域の映像を撮影するためカメラ・プラットフォームに移動自在に取り付けられている。
【０００８】
更にもう１つの面では、本発明は、支持プラットフォームと、この支持プラットフォームから複数個の支持ケーブルにより吊り下げられたカメラ・プラットフォームと、制御器と、開催場所に対し移動自在なカメラとを有する映像撮影メカニズムにより、観客席領域と注視領域とを含む開催場所で映像を撮影する方法に関する。この方法は、注視領域の少なくとも１部に亘って支持プラットフォームを位置決めし、カメラ・プラットフォームを映像撮影位置に向け、支持プラットフォームに対し移動させ、カメラをカメラ・プラットフォームに対し移動させてカメラを目標に向け、カメラの焦点を目標に合わせ、カメラを用いて、目標の映像を撮影して、撮影した映像を制御器に伝達し、この映像を記憶することからなる。カメラ・プラットフォームは、注視領域に対しほぼ水平位置から、この水平位置に対しカメラ・プラットフォームがカメラ・ピッチ角度を形成する位置まで移動する。
【０００９】
更にもう１つ面では、本発明は注視領域の映像を撮影するための映像撮影メカニズムに関する。この映像撮影メカニズムは支持プラットフォームと、この支持プラットフォームから、少なくとも１つの支持ケーブルにより吊り下げられたカメラ・プラットフォームと、少なくとも１つの支持ケーブルとカメラ・プラットフォームと組み合わせられた安定化メカニズムと、カメラ・プラットフォームに取り付けられたカメラとを含む。少なくとも１本の支持ケーブルの第１端は、支持プラットフォームに、その第２端はカメラ・プラットフォームに取り付けられている。カメラ・プラットフォームは支持プラットフォームに対し、カメラ・プラットフォームとカメラとを安定化させる安定化メカニズムは注視領域に対し、それぞれ、移動自在である。
【００１０】
もう１つの面では、本発明は、開催場所での各個人に対し広告を出す、その開催場所内に取り付けられている広告メカニズムに関する。この広告メカニズムは上記の開催場所に取り付けられる第１アンカー(固定材)と第２アンカーと、第１端と第２端とを有する移送ケーブルと、この移送ケーブルに対し移動自在に取り付けられた支持プラットフォームと、各個人が上記の支持プラットフォームに惹きつけられるようにこの支持プラットフォームに取り付けられた広告媒体とを含む。上記の移送ケーブルの第１端は第１アンカーに、その第２端は第２アンカーに固定されている。
【００１１】
加えて、本発明は目標の映像を撮影するための映像撮影メカニズムに関する。この映像撮影メカニズムは支持プラットフォームと、この支持プラットフォームから複数個の支持ケーブルにより吊り下げられたカメラ・プラットフォームと、このカメラ・プラットフォームに取り付けられたカメラとを含む。各支持ケーブルの第１端は、支持プラットフォームに、その第２端はカメラ・プラットフォームに取り付けられている。支持プラットフォームとカメラ・プラットフォームとはカメラ軸上同軸方向に取り付けられており、複数の支持ケーブルの各々はカメラ軸に対し支持角度を形成する。
【発明を実施するための最良の形態】
【００１２】
本発明の上記の概要ならびに以下の詳細な説明は、添付図面と共に読めば、より良く理解される。本発明を例示する図面に示されている実施例は現在好ましいものであるが、本発明は図示されている正確な装置および器具に限定されるものではない。
【００１３】
ある種の言葉が便宜上のみ以下の説明に用いられているが、これに限るものではない。“右”、“左”、“前”、“後”、“下方”および“上方”の言葉は言及する図面での方向を言う。“内側”および“外側”の言葉は映像撮影メカニズムとその指定された部分の幾何学的中心に向かうおよびこれから離れる方向を言う。更に“上”および“下”の言葉は映像撮影メカニズムとその指定された部分の好ましい方向を言う。用語は上記に挙げた言葉と、その派生語と類似語を含む。
【００１４】
全体に亘って同様の数字が同様の要素を示す図面を詳細に参照すると、図１から図８には、本発明による、全般的に１０、１０´、１０´´で示されている第１、第２および第３の実施例が示されている。これら映像撮影メカニズム１０、１０´、１０´´は一般に開催場所での映像の撮影とその映像の処理に使用される。全体に亘って、同一の符号は映像撮影メカニズム１０、１０´、１０´´の第１、第２および第３の実施例の同一の要素を示すのに使用され、(´)及び(´´)の記号は、それぞれ、第２および第３の実施例の要素を示す。
【００１５】
図１から図４を参照すると、映像撮影メカニズム１０は開催場所での目標の映像を撮影するのに用いられるのが好ましい。この映像撮影メカニズム１０は支持プラットフォーム１２と、この支持プラットフォーム１２から支持ケーブル１６により吊り下げられたカメラ・プラットフォーム１６とを含む。好ましい実施例では、カメラ・プラットフォーム１４は支持プラットフォーム１２から複数個の支持ケーブル１６により吊り下げられている。この支持ケーブル１６は一般に、支持プラットフォーム１２からカメラ・プラットフォーム１６が吊り下げられていることにより重力のため緊張状態に保持されている。この映像撮影メカニズム１０は複数個の支持ケーブル１６を含むあるいはカメラ・プラットフォーム１４を重力により支持プラットフォーム１２から吊るすことに限定されない。例えば、カメラ・プラットフォーム１４は支持プラットフォーム１２から１本の支持ケーブル１６により吊るされてもよく、支持プラットフォーム１２を水面下に取り付け、カメラ・プラットフォーム１４を水中に浮かせ、カメラ・プラットフォーム１４が支持プラットフォーム１２から浮力により延びるようにしてもよい。また、カメラ・プラットフォーム１４は、カメラ・プラットフォーム１４を支持プラットフォーム１２から間隔を開けて離す硬性あるいは弾性部材あるいはポール(図示略)により支持プラットフォーム１２から吊るしてもよい。支持ケーブル１６は、引張りおよび圧縮負荷を保持し、カメラ・プラットフォーム１４を支持してアイテム(部材)を押すことのできるほぼ硬性のポールから構成してもよい。カメラ・プラットフォーム１４は、好ましい映像撮影メカニズム１０がその所望の機能を果たすことができ、映像撮影メカニズム１０の通常の操作条件に耐えることができるほぼどの方法でも支持プラットフォーム１２に対しこれから間隔を開けて離れているか、これに支持されていてもよい。
【００１６】
好ましい実施例での複数の支持ケーブル１６は、第１、第２、第３、第４、第５および第６の支持ケーブル１６から構成されている。６本の支持ケーブルは支持プラットフォーム１２とカメラ・プラットフォーム１４との間を安定させ、以下に詳細に記載されているようにカメラ・プラットフォーム１４を支持プラットフォーム１２に対し操作できるようにしており、カメラ・プラットフォーム１４を支持プラットフォーム１２から吊るす際に安全を提供し、６本のうち５本が切れても、残りの１本の支持ケーブル１６が、支持プラットフォーム１２に対しカメラ・プラットフォーム１４を支持し続ける。カメラ・プラットフォーム１４は支持プラットフォーム１２から６本の支持ケーブル１６により吊るされることに限らず、上記のようにもっと少ない数あるいは１本の支持ケーブル１６により吊るされてもよく、あるいは６本以上の支持ケーブル１６により吊るされてもよい。更に、カメラ・プラットフォーム１４は支持プラットフォーム１２から間隔を開けて離して、これに対し支持されてもよい。
【００１７】
図１から図５を参照して、第１の好ましい実施例では、支持プラットフォーム１２とカメラ・プラットフォーム１４は一般に、金属製あるいはポリマー(重合体)材料のような硬性構造材料から構成されている。支持プラットフォーム１２とカメラ・プラットフォーム１４とは１つの構成要素あるいは多数の構築用構成要素のアセンブリからなってもよい。第１の好ましい実施例では、支持プラットフォーム１２とカメラ・プラットフォーム１４とはほぼ三角形の形状を有しており、第２の好ましい実施例では、支持プラットフォーム１２´はほぼ矩形の形状を有している。支持プラットフォーム１２、１２´およびカメラ・プラットフォーム１４、１４´とは三角形あるいは矩形の形状を有することに限らず、本開示を見れば当業者が理解するように、特定の開催場所２８に適する、ほぼどの形状あるいは大きさを有してもよい。加えて、支持プラットフォーム１２およびカメラ・プラットフォーム１４とはその大きさおよび／または形状が特に限定されておらず、特定の開催場所２８に適するほぼどのような大きさおよび／または形を有してもよい。
【００１８】
第１の好ましい実施例では、支持プラットフォーム１２は、一般に技術者が組み合わせるのが簡単である、押しピン構成で組み合わせられた複数個のバーから構成される。加えて、押しピン構成は一般に技術者により、素早く組み合わせられ、および／または修理される。安全措置として、支持プラットフォーム１２の押しピン構成は各組み合わせ結合点で繋ぎ合わせられる(図示略)。この繋ぎ材は、支持プラットフォーム１２のその他の組み合わせられた部分の１つ以上にあるいは支持ケーブル１６に連結され、支持プラットフォーム１２が折れたり、あるいはその他の形で損傷しても、支持プラットフォーム１２と、その上に載っている関連する構成要素が落下あるいはその意図する位置から、かなりの距離移動しない。支持プラットフォーム１２は押しピン構成アセンブリあるいは繋ぎ材を含むものに限定されず、１つの構造用構成要素から構成されてもよく、また当業者には自明のほぼどのその他のアセンブリ技術を用いてもよい。然し、押しピン構成アセンブリと繋ぎ合わせとが、好ましい映像撮影メカニズム１０のアセンブリを簡単にし、その安全を増加させるのには好ましい。
【００１９】
第１の好ましい実施例では、６本の支持ケーブル１６は各々第１端１６ａと第２端１６ｂとを含む。第１端１６ａは支持プラットフォーム１２に、第２端１６ｂは、カメラ・プラットフォーム１４とにそれぞれ固定あるいは取り付けられているのが好ましい。６つのカメラ・ウィンチ１８が支持ケーブル１６の第１端１６ａを支持プラットフォーム１２に取り付けるのが好ましい。好ましい６本の支持ケーブルに類似の好ましい６つのウィンチ１８に限るものではなく、カメラ・プラットフォーム１４は同じ数のカメラ・ウィンチ１８と支持ケーブル１６とにより支持プラットフォーム１２から吊るされるのが好ましい。然し、カメラ・プラットフォーム１４は、同じ数のカメラ・ウィンチ１８と支持ケーブル１６とにより支持プラットフォーム１２から吊るされることに限らず、カメラ・ウィンチ１８を含まず、ほぼどの数の支持ケーブル１６あるいは１本の支持ケーブル１６によりカメラ・プラットフォーム１４から直接吊るされてもよい。然し、カメラ・プラットフォーム１４を少なくとも支持プラットフォーム１２に向け、あるいはこれから離れるように移動させるのが好ましい。
【００２０】
好ましい実施例では、カメラ・ウィンチ１８は各々１巻きウィンチから構成される。カメラ・ウィンチ１８は１巻きウインチ１８から構成されることに限らず、支持ケーブル１６の第１端１６ａを支持プラットフォーム１２に、そして好ましくは、支持プラットフォーム１２に対しカメラ・プラットフォーム１４を移動させるため支持ケーブル１６を支持プラットフォーム１２に対し移動させるように取り付けるほぼどのメカニズムから構成されてもよい。カメラ・ウィンチ１８は機械的／電気的に駆動されてもよく、支持プラットフォーム１２に居る操作者により手動で駆動されてもよい。加えて、カメラ・ウィンチ１８は支持プラットフォーム１２に取り付けられることに限らず、支持プラットフォーム１２に対しカメラ・プラットフォーム１４を移動させるためほぼどこに取り付けてもよい。例えば、カメラ・ウィンチ１８は、地上の位置のような、支持プラットフォーム１２あるいはカメラ・プラットフォーム１４以外のどこに取り付けてもよく、当業者であれば分るように、カメラ・プラットフォーム１４を支持プラットフォーム１２に対し移動するのを補助するため、支持プラットフォーム１２にプーリ(図示略)を取り付けてもよい。
【００２１】
図３と図４とを参照すると、第１の好ましい実施例では、映像撮影メカニズム１０は支持プラットフォーム１２に取り付けられた移送ケーブル２０を含む。この移送ケーブル２０は第３端２０ａと第４端２０ｂとを含み、第３端２０ａは第１アンカー２２に、第４端２０ｂは第２アンカー２４に取り付けるのが好ましい。支持プラットフォーム１２は、移送ケーブル２０に沿って、第１および第２アンカー２２、２４とに対し移動自在であるのが好ましい。第１の好ましい実施例では、移送ケーブル２０の第３端２０ａが第２アンカー２２に移送ウインチ２６により、移送ケーブル２０の第４端２０ｂがもう１つの移送ウィンチ２６により第２アンカーに取り付けられている。移送ウィンチ２６は、作動されると支持プラットフォーム１２を、第１と第２のアンカー２２、２４それぞれに向け、およびこれらから離れるように移動させる１巻きウィンチであるのが好ましい。
【００２２】
支持プラットフォーム１２は移送ケーブル２０に取り付ける、あるいは移送ケーブル２０に沿って移動自在に取り付けるのに限定されない。加えて、移送ケーブル２０は、第３端および第４端２０ａ、２０ｂで移送ウィンチ２６に取り付けられるのに限定されない。例えば、支持プラットフォーム１２は、以下により詳細に記載されているように、映像撮影メカニズム１０がその中に取り付けられている開催場所あるいは競技場２８の屋根２８ａに取り付けられている。加えて、支持プラットフォーム１２は、支持プラットフォーム１２を、移送ケーブル２０の第３端および第４端２０ａ、２０ｂへ、これらからおよびこれらの間に移動させ得るプーリ、回転ホイールあるいはその他のメカニズムにより移送ケーブル２０に取り付けられている。支持プラットフォーム１２を移送ケーブル２０に移動自在に取り付けることにより支持プラットフォーム１２と吊るされたカメラ・プラットフォーム１４とを開催場所あるいは競技場２８に対し色々な位置に移動させることができ、この利点は、映像撮影メカニズム１０の以下の記載に基づき当業者には明らかである。
【００２３】
図１、図２Ａ、図３および図４を参照すると、第１の好ましい実施例では、支持プラットフォーム１２とカメラ・プラットフォーム１４とはカメラ軸３０上同軸方向に取り付けられている。カメラ軸３０は、支持プラットフォーム１２とカメラ・プラットフォーム１４の両方の中心を通る垂直軸が好ましい。各支持ケーブル１６は、カメラ軸３０に対し支持角度Δを形成するのが好ましい。カメラ軸３０に対する支持ケーブル１６の好ましい角度は、支持プラットフォーム１２に対し吊るされたカメラ・プラットフォーム１４に硬性と安定性とを提供する。支持角度Δは０と９０度との間のどの角度でもよく、一般に、カメラ・プラットフォーム１４が支持プラットフォーム１２に対し移動されおよび／または再度位置決めされるにつれ変化する。加えて、支持角度は、以下により詳細に記載されているように、カメラ・プラットフォーム１４の位置を、支持プラットフォーム１２に対し位置決めのため修正するように支持ケーブル１６の幾つかに対し異なっていてもよい。
【００２４】
支持ケーブル１６は、カメラ軸３０に対し特定の支持角度Δを生じることには限定されない。例えば、映像撮影メカニズム１０は支持プラットフォーム１２からカメラ・プラットフォーム１４を吊るす１本の支持ケーブル１６を含むように形成されてもよく、この結果支持ケーブル１６は何時でもカメラ軸３０にほぼ平行である。
【００２５】
図１から図５を参照すると、好ましい実施例では、支持プラットフォーム１２は開催場所あるいは競技場２８の一部から構成されている。例えば、開催場所あるいは競技場２８の一部は開催場所あるいは競技場２８の屋根２８ａからなる。そのような実施例(図示略)では、支持ケーブル１６は屋根２８ａに取り付けられ、カメラ・プラットフォーム１４は屋根２８ａに対し移動自在であるのが好ましい。そのような好ましい実施例では、６つのカメラ・ウィンチ１８は、支持ケーブル１６がカメラ軸３０に対し支持角度Δを形成し、屋根２８ａに対するカメラ・プラットフォーム１４に硬性を与える。カメラ・ウィンチ１８を直接競技場２８の屋根２８ａに取り付けるとその結果映像撮影メカニズム１０は少なくとも半永久的に競技場あるいは開催場所２８に据付けられる。そのような形態では、カメラ・プラットフォーム１４は屋根２８ａに近い格納位置に、あるいは、ウィンチ１８と支持ケーブル１６とを用いて屋根２８ａから遠のくようにカメラ・プラットフォーム１４を伸長させることにより展開位置に配置できる。加えて、カメラ・プラットフォーム１４は、支持プラットフォーム１２を格納位置と展開位置との間で移動させ得る開催場所あるいは競技場２８のスコアボード２８ｂ(図３)あるいはほぼその他の構造体のような、なにかその他の競技場構造体から吊るされる。
【００２６】
図２、４および８を参照すると、第１の好ましい実施例では、広告媒体３２が支持構造体１２および／またはカメラ・プラットフォーム１４に取り付けられている。広告媒体３２は、例えば、支持プラットフォーム１２に取り付けられ、広告が印刷されている旗、バツクリットサイン、映像を旗に投影するプロジェクタと、開催場所２８と、カメラ・プラットフォーム１４あるいは支持プラットフォーム１２と、開催場所２８内の観客ような人に広告メッセージを伝えることのできる電子制御のサイン、あるいはほぼなにかその他の広告媒体３２とから構成されている。好ましい実施例の広告媒体３２はそこを通って空気が流れる材料から構成されている。例えば、旗３２は、それを通って風が流れる孔開き材料から構成されている。孔開き旗は、それを風と空気が通って流れ、風あるいはその他の方法で流れる空気に会うと、帆を張って、映像撮影メカニズムを押しのけ、カメラ・プラットフォーム１４および／または支持プラットフォーム１２の不安定性により映像撮影メカニズム１０が捕らえる映像の質を落とすことがない。広告媒体３２は上記の広告メカニズムあるいは材料に限定されず、広告メッセージを伝えることのできるほぼどの特徴あるいはアイテムからなってもよい。
【００２７】
図１から図４を参照すると、カメラ３６は所望の目標の映像を撮影するためのカメラ・プラットフォーム１４に取り付けられている。このカメラ３６は静止映像を撮る静止カメラでも、ビデオ映像を撮るビデオ・カメラでも、あるいは静止映像とビデオ映像とを撮る静止・ビデオ組み合わせカメラでもよい。このカメラ３６は、映像撮影のため目標を定める、開催場所２８内の領域を選択する際に使用者に融通性と適応性とを提供するようにカメラ・プラットフォーム１４に移動自在に取り付けられるのが好ましい。第１の好ましい実施例では、カメラ３６は、実質的には開催場所２８のどこでも、あるいは映像撮影メカニズム１０が映像を撮影するために取り付けられるどこでも映像を撮影するためパンし(左右に動く)、傾きおよびズームすることができる。
【００２８】
図１、３および４を参照すると、第１の好ましい実施例では、繋ぎ用ケーブル３４が支持プラットフォーム１２からカメラ３６に延びる。好ましい繋ぎケーブル３４は、制御情報のような信号を与え、映像のような信号を送信し、および／またはパワーをカメラ３６に与える光ファバー・ケーブルからなる。映像撮影メカニズム１０は、繋ぎケーブル３４を含むこと、あるいは繋ぎケーブル３４が光ファイバー・ケーブルからなることに限定されない。例えば、映像撮影メカニズム１０は繋ぎケーブル３４を含まず構成され、繋ぎケーブル３４のような、信号および／またはパワーをカメラ３６に送信しない構築用ケーブルを含んでもよい。例えば、繋ぎケーブル３４は、一端で支持プラットフォーム１２に、その対向端でカメラ３６に直接取り付けられて、各支持ケーブル１６が切れた場合、カメラ３６とカメラ・プラットフォーム１４とが支持プラットフォーム１２から落下するあるいはこれと離脱することを防止するフェイル・セイフあるいは安全ケーブルを提供する鋼製ケーブルから構成されてもよい。然し、繋ぎケーブル３４は、カメラ３６にパワーおよび／または信号を送ることのできる光ファイバー・ケーブルから構成されるのが好ましい。この理由は光ファイバー・ケーブルは好ましい開催場所２８で映像撮影メカニズム１０を見ている個人にはほぼ見えず、一般に信号送信には効果的だからである。
【００２９】
図１および図８を参照すると、第１の好ましい実施例では、バッテリ３８が支持プラットフォーム１２に取り付けられていて少なくともカメラ３６にパワーを与える。加えて、制御器４０と無線周波数装置４２とは、カメラ３６が捕らえた映像を記憶し、この映像をカメラ３６から制御器４０に送るため支持プラットフォーム１２に取り付けられている。上記の無線周波数装置４２は、又、指令信号を制御器４０からカメラ３６に、あるいは指令信号を制御器４０からカメラ・ウィンチ１８、移送ウィンチ２６あるいは広告媒体３２に送信するのにも使われる。映像撮影メカニズム１０はバッテリ３８、支持プラットフォーム１２に取り付けられている無線周波数装置４２および／または制御器４０を含むものに限定されず、開催場所２８に取り付けられたこれらの特徴の１つ以上を含まなくても、含んでもよい。加えて、バッテリ３８、無線周波数装置４２および／または制御器４０は映像撮影メカニズム１０のその他の部分あるいは開催場所２８の内側あるいは外側のほぼどこでもに取り付けてもよい。然し、制御器４０、バッテリ３８および無線周波数装置４２を支持プラットフォームに取り付ければ、好ましい映像撮影メカニズム１０のこれらの特徴を映像撮影メカニズム１０の操作者にとって便利な位置に配置できる。
【００３０】
映像撮影メカニズム１０は、カメラ・ウィンチ１８、移送ウィンチ２６、カメラ３６、広告媒体３２、制御器４０および／または無線周波数装置４２が開催場所２８によって提供される代替のパワー源あるいは当業者には自明のほぼどの方法でもパワーが供給されるので、バッテリ３８を含めることに限定されない。加えて、制御器４０は、硬い配線(hard wiring)あるいは赤外線のようななにかその他の送信メカニズムにより、映像撮影メカニズムの構成要素のほぼいずれかと直接的にあるいは間接的に連絡しているので、無線周波数装置４２は映像撮影メカニズム１０の操作には不必要である。更に、映像撮影メカニズム１０は完全に手動で操作できるので、制御器４０を含むものに限定されない。加えて、制御器４０は、その通信が映像撮影メカニズム１０と達成されるほぼどこにでも配置されるホーム・コンピュータから構成されてもよい。
【００３１】
図３と図４とを参照すると、第１の好ましい実施例では、安全ケーブル４４は、移送ケーブル２０の上方、第１および第２アンカー２２，２４との間に取り付けられる。その安全ケーブル４４は、安全ライン４４ａと、安全ケーブル４４に摺動自在に取り付けられているスリーブ４４ｂとにより支持プラットフォーム１２に固定されるのが好ましい。安全ケーブル４４と、安全ライン４４ａとスリーブ４４ｂとを含めると映像撮影メカニズム１０に対し追加の安全措置を与え、移送ケーブル２０が切れても、映像撮影メカニズムの支持プラットフォーム１２、カメラ・プラットフォーム１４と関連構成要素は開催場所２８に落下しないであろう。特に、安全ケーブル４４、安全ライン４４ａおよびスリーブ４４ｂとは映像撮影メカニズム用の追加あるいはバックアップ支持を提供する。スリーブ４４ｂは、安全ケーブル４４に対する支持プラットフォーム１２の移動が阻止されないように、安全ケーブル４４に沿い摺動自在であるのが好ましい。映像撮影メカニズム１０は、安全ケーブル４４、安全ライン４４ａあるいはスリーブ４４ｂを含むものに限定されず、これらの構成要素を含まなくても通常に機能する。然し、吊るされた構成要素が開催場所２８に落下し、映像撮影メカニズム１０の下方に居る個人に損傷を負わせる可能性を阻止するため、映像撮影メカニズム１０に追加の安全措置を設けるために安全ケーブル４４は好ましい。
【００３２】
図１から４を参照すると、第１の好ましい実施例の映像撮影メカニズム１０は安定化メカニズムを含む。この好ましい実施例の安定化メカニズムは、第１の好ましい実施例において支持角度Δで支持プラットフォーム１２から延びることにより、カメラ・プラットフォーム１４を支持プラットフォーム１２から吊るす支持ケーブル１６の少なくとも一部から構成される。角度を持った６本の支持ケーブル１６の好ましい形態はカメラ・プラットフォーム１４と支持プラットフォーム１２との間に剛性と安定性とを提供してカメラ・プラットフォーム１４を支持プラットフォーム１２に対し安定化させる。支持プラットフォーム１２とカメラ・プラットフォーム１４との間の硬性と安定性とは、カメラ・プラットフォーム１４が支持プラットフォーム１２に対し移動しおよび／または支持プラットフォーム１２が開催場所２８に対し移送ケーブル２０上を移動するのでカメラ３６に対し安定性を提供する。
【００３３】
あるいはまた、安定化メカニズムは、上記の複数の支持ケーブル１６に取り付けられた１つ以上のダンパ(緩衝材)４６(図２Ａ)とバネとから構成されてもよい。１つ以上のダンパ４６とバネとは、支持プラットフォーム１２とカメラ・プラットフォーム１４との間の振動および／またはその他の運動を緩衝するあるいは軽減するように形成され、支持プラットフォーム１２に対しカメラ３６を安定化させる。この安定化メカニズム３４は、支持プラットフォーム１２、カメラ・プラットフォーム１４および／またはカメラ３６との移動を制限あるいは制御するため、制御器４０によりカメラ３６と、カメラ・ウィンチ１８および／または移送ウインチ２６とに送られた制御信号から少なくとも一部分が構成されている。ジャイロスコープ４８および／またはフライホイール５０(図８)もまた、支持プラットフォーム１２に対しカメラ３６を安定させるのを助けるため、あるいはカメラ３６により撮られた映像を安定化させるため安定性を提供、あるいは制御器４０に信号を送るため映像撮影メカニズム１０に用いられる。この安定化メカニズムは上記の特徴および／または制御に限定されず、支持プラットフォーム１２をカメラ・プラットフォーム１４に対し、カメラ３６を支持プラットフォーム１２に対し安定化させ、あるいは一般的にカメラ３６により撮られた映像を安定化させることのできる、ほぼどのメカニズムあるいは制御特徴から構成されてもよい。
【００３４】
図１から図４を参照すると、映像撮影メカニズム１０は支持プラットフォーム１２の大きさを変えることにより動的に安定化させてもよい。例えば、風のある日には、支持プラットフォーム１２の大きさあるいは外側の寸法は、支持プラットフォーム１２に対するカメラ・プラットフォーム１４の所定位置での支持角度Δを修正することにより支持プラットフォーム１２に対するカメラ・プラットフォーム１４に対する追加の安定性を提供するため拡大される。制御器４０は、また、風のある日には風センサ(図示略)から風の方向と速度とを受け取り、カメラ３６、移送ウインチ２６および／またはカメラ・ウインチ１８に送られた制御信号を調節することにより、あるいは映像を安定化させるため色々の風条件でカメラ３６により撮られた映像を交互に処理することにより映像撮影メカニズム１０を安定化させる。
【００３５】
制御器４０は、色々の条件でのカメラ・ウィンチ１８と、移送ウィンチ２６とカメラ３６の移動の加速と減速とを制御することにより好ましい実施例での映像撮影メカニズム１０に対する映像に安定性を与える。例えば、カメラ・ウインチ１８により支持プラットフォーム１２に対するカメラ・プラットフォーム１４の移動の加速と減速率を制御して、カメラ・プラットフォーム１４と支持プラットフォーム１２との間のジャンピング(飛跳ね)あるいは振動を軽減することにより一般に安定性を増加する。加えて、制御器４０は、支持プラットフォーム１２に対するカメラ・プラットフォーム１４のジャンピングあるいは望ましくない移動を一般に減少させるため、支持ケーブル１６がコンスタントに緊張するようにカメラ・ウィンチ１８により制御する。更に、制御器４０は、当業者には既知であり、カメラ３６、カメラ・プラットフォーム１４および／または支持プラットフォーム１２の移動あるいは色々の環境条件を感知する光学センサ、加速センサ、慣性センサ、傾斜計、風力計、温度計、振動計、ストレイン・ゲージあるいはその他類似のセンサを含む色々のセンサと連絡していて、制御器４０は情報に反応して映像撮影メカニズム１０を安定化させる。
【００３６】
図１から図４と図８を参照すると、上記のように、好ましい映像撮影メカニズム１０は広告媒体３２を含む。この広告媒体３２は、支持プラットフォーム１２あるいはカメラ・プラットフォーム１４に取り付けられたプロジェクタ３２(図１)からなる。このプロジェクタ３２は、開催場所２８の受け取り面５４に広告サインを向けるため制御器４０と連絡している。上記受け取り面５４はカメラ・プラットフォーム１４の下方に位置するのが好ましい。第１の好ましい実施例のプロジェクタ３２は、開催場所２８の観客のような人に見られるように開催場所２８の受け取り面５４に広告媒体を投影することができるのが好ましい。プロジェクタ３２は、受け取り面５４に広告映像を投影できる、彩色光ディスプレイ、レーザ・プロジェクタあるいはほぼその他のどのタイプのプロジェクタからなってもよい。
【００３７】
図５を参照すると、第２の好ましい実施例では、移送ケーブル２０´は、支持プラットフォーム１２´に取り付けられた第１の移送ケーブル２０ｃと第２の移送ケーブル２０ｄからなる。この支持プラットフォーム１２´は、第１アンカー２２´と第２アンカー２４´との間を第１移送ケーブル２０ｃおよび第２移送ケーブル２０ｄとに沿って移動自在である。第１と第２の移送ケーブル２０ｃと２０ｄとはほぼ支持プラットフォーム１２の幅で離れていて、第１移送ケーブル２０ｃと第２移送ケーブル２０ｄとは支持プラットフォーム１２´の両側に取り付けられているのが好ましい。支持プラットフォーム１２´は、支持プラットフォーム１２´に取り付けられた１対のウィンチ(図示略)により第１および第２移送ケーブル２０ｃ、２０ｄに対し移動自在であるのが好ましい。支持プラットフォーム１２´は第１および第２移送ケーブル２０ｃ、２０ｄ上を、あるいは支持プラットフォーム１２´に取り付けられている１対のウィンチの使用により移動自在であることに限定されない。例えば、支持プラットフォーム１２´は第１および第２移送ケーブル２０ｃ、２０ｄ上の特定の位置に固定させていてもよく、当業者には自明であるリニア作動器あるいはその他の機械的装置を用いて移送ケーブル２０ｃ、２０ｄに沿いあるいはこれらと共に移動自在でもよい。
【００３８】
第２の好ましい実施例の第１および第２の移送ケーブル２０ｃ、２０ｄは第１アンカー２２´に近接して取り付けられている第１スプレッダ(拡大)バー５６と、第２アンカー２４´に近接して取り付けられている第２スプレッダ・バー５８とにより離れている。第１および第２スプレッダ・バー５６，５８は第１および第２移送ケーブル２０ｃ、２０ｄとを離すための拡大長さＬｓを有する。第１および第２のスプレッダ・バー５６、５８とは支持プラットフォーム１２´のほぼ幅まで第１と第２の移送ケーブル２０ｃ、２０ｄとを離すのには好ましい。加えて、第１および第２のアンカー２２´、２４´に近接する第１および第２スプレッダ・バー５６、５８を含めることは支持プラットフォーム１２´に対する自然の停止材となり、支持プラットフォーム１２´は、第１および第２スプレッダ・バー５６、５８の位置より第１あるいは第２アンカー２２´、２４´により近い位置まで移動しない。従って、支持プラットフォーム１２´は第１あるいは第２アンカー２２´、２４´を衝撃して、映像撮影メカニズム１０´を損傷する虞はない。
【００３９】
映像撮影メカニズム１０´の第２の好ましい実施例は、少なくとも２つの支持プラットフォーム１２´が第１および第２の移送ケーブル２０ｃ、２０ｄに取り付けられ、第１および第２アンカ２２´、２４´との間を移動することを示す。移送ケーブル２０ｃ、２０ｄ上を移動するため２つの支持プラットフォーム１２´を含めることは、ただ１つの支持プラットフォーム１２´を含めることに比べ、操作者にとって、移送ケーブル２０ｃ、２０ｄに沿う追加のカメラ・アングル(角度)を提供する。多数の支持プラットフォーム１２´と、カメラ・プラットフォーム１４´とカメラ３６´とを含めることは、操作者にとって入手できるカメラ・アングルを増やすため映像撮影メカニズム１０、１０´、１０´´の第１、第２あるいは第３の実施例のいずれにも利用できる。
【００４０】
図１、３、５および８を参照すると、多数の支持プラットフォーム１２と、カメラ・プラットフォーム１４と、カメラ３６およびその他の関連する構成要素とを移送ケーブル上に含めると、多数の支持プラットフォーム１２と、カメラ・プラットフォーム１４および／またはカメラ３６とが使用中相互に衝突しないように制御器４０により制御されるのが好ましい。例えば、制御器４０を、移送ケーブル２０上のカメラ・プラットフォーム１４同士の衝撃および支持プラットフォーム１２の相互への加速を防止するようにプログラムして、カメラ・プラットフォーム１４あるいはカメラ３６が使用中相互に衝突しないようにする。制御器４０は映像撮影メカニズム１０を制御して、これが使用中相互に衝突しないようにすることに限定されない。例えば、映像撮影メカニズム１０は、色々の構成要素が使用中相互に衝突しあわないようにバネ、バンパあるいはその他のメカニズムを設けてもよく、あるいは使用中の時折の衝撃に耐えるに十分頑丈に構成してもよい。
【００４１】
図３を参照すると、第１の好ましい実施例では、映像撮影メカニズム１０は開催場所２８、特にスポーツ競技場２８に取り付けられている。競技場２８は、注視領域６０と、観客席領域６２と、観客席領域６２から注視領域６０までの視覚ライン６４とを含むのが好ましい。図３に示されている視覚ライン６４は、好ましい競技場２８の観客席領域６２からのいちばん端の視覚ライン６４の幾つかを描写する。支持プラットフォーム１２は各視覚ライン６４の外側に取り付けられるか、あるいは、開催場所あるいは競技場２８の各々への移動を阻止するようにプログラムされるのが好ましい。従って、第１の好ましい実施例では、観客席領域の観客のような人が、その視野が支持プラットフォーム１２により邪魔されないようにそれらの視覚ライン６４内での注視領域６０の全ての部分で行なわれるイベントあるいはその他の活動を見ることができる。支持プラットフォーム１２は、注視領域の視野を邪魔する観客の視覚ライン６４のどれにも延びないのが好ましい。第１の好ましい実施例では、支持プラットフォーム１２は第１および第２アンカー２０、２４との間に取り付けられており、支持プラットフォーム１２が、移送ケーブル２０のどこに位置するかには拘わらず、支持プラットフォーム１２は観察者の視覚ライン６４のどれも邪魔しないように移送ケーブル上を移動自在である。
【００４２】
第１の好ましい実施例では、観客席領域６２での観察者の視覚ライン６４から外側に支持プラットフォーム１２を取り付けると、注視領域６０の観客の視野を邪魔するのを防止するが、支持プラットフォームが移送ケーブル２０に沿って移動すると支持プラットフォーム１２へ注意を惹く。従って、注視領域における観客のような人は支持プラットフォーム１２の移動と、支持プラットフォーム１２に取り付けられており、その受け取り面５４に投影されるか、その他の方法で好ましい映像撮影メカニズム１０と組み合わせられた広告媒体のいずれかに注意を惹かれる。よって、第１の好ましい実施例の映像撮影メカニズム１０は一般に、注視領域６０への観客の視覚ライン６４をぼやかさずそれ自体と広告媒体３２とに注意を惹かせる。
【００４３】
好ましい実施例では、広告媒体３２は、広告媒体３２上で連続的に広告を変化させるメッセージ・ボードからなる。このメッセージ・ボード(図示略)は、制御器４０と連絡して、この制御器４０が所定の時間間隔でメッセージ・ボード上で広告を変化させるのが好ましい。このメッセージ・ボードは支持プラットフォーム１２、カメラ・プラットフォーム１４、カメラ３６あるいはほぼどこでも、映像撮影メカニズム１０に沿ってあるいはこの上に取り付けられている。メッセージ・ボードの構造および操作は、一般に、当業者には周知である。
【００４４】
図４を参照すると、広告媒体３２は、又、第１縁６６ａと第２縁６６ｂとを有する旗６６からなる。第１縁６６ａは支持プラットフォーム１２に、第２縁６６ｂはカメラ・プラットフォーム１４に取り付けられるのが好ましい。操作に際して、カメラ・プラットフォーム１４は当初旗６６は格納されていて、観客席領域の観客のような人に見えないように、格納位置に置かれている。使用中は、カメラ・プラットフォーム１４が支持プラットフォーム１２に対し支持ケーブル上で延びると、旗６６は、第２端６６ｂが第１縁６６ａから離れて延びて広がり広告用旗６６全体を表示する。この旗６６は、競技のような何等かの活動が注視領域で起こなわれている間はカメラ・プラットフォーム１４から放れ、競技中断のように、何等かのその他の活動が行なわれている間は再度カメラ・プラットフォーム１４に装着される。
【００４５】
図１から８を参照すると、好ましい実施例では、カメラ３６は、このカメラ３６の視覚ライン内での、注視領域６０、観客席領域６２、開催場所２８内のその他のほぼどこでも、あるいはこの開催場所２８の外側のその他のどこでもの映像を撮るのに使用される。
【００４６】
図３および図８を参照すると、第３の好ましい実施例では、センサ５２の１つは、カメラ３６、カメラ・プラットフォーム１４、支持プラットフォーム１２あるいは映像撮影メカニズム１０上あるいは映像撮影メカニズム１０に対して便利な位置のほぼその他のどこにでも取り付けられる動作センサを含む。この動作センサは制御器４０と連絡していて、動作センサが動作を感知すると信号を制御器４０に送る。制御器４０は、その信号に基づいて、動作センサによりその動作が検知された動作領域にカメラ３６の焦点を合わせるようにこれを向ける。映像撮影メカニズム１０と動作センサと共に使用することは、開催場所２８でのセキュリテイ(安全保障)あるいは、機械的セキュリティが望ましいほぼどの場所でも好ましい。例えば、開催場所あるいは競技場２８が閉鎖されている場合、動作センサは、競技場が閉鎖されている場合、カメラ３６が入口あるいは出口での動作、潜在的には浸入者に焦点を合わせ、それを捕らえるように競技場の出口あるいは入口に向けられる。そのように映像撮影メカニズム１０にセキュリティを応用することにより人間が競技場２８に居なくても安全が保証され、また潜在的侵入者のビデオおよび／または静止映像を提供する。ついで、映像は無線周波数装置４２あるいは、ハード配線あるいはレーザ送信のようなその他の関連送信装置によりセキュリティ管理人に送られ、このセキュリティ管理人は物理的に競技場２８に居なくても何等かの虞を判断することができる。
【００４７】
図１および図３を参照すると、第１の好ましい実施例では、カメラ・プラットフォーム１４とカメラ３６とは観客席領域６２での観客の少なくとも幾人かの視覚ライン６４に延びる。然し、カメラ３６と、カメラ・プラットフォーム１４と支持ケーブル１６と繋ぎケーブル３４とは、注視領域６０での観客の視野を大きく邪魔せず、あるいは邪魔を非常に限定するように比較的コンパクトであるのが好ましい。加えて、カメラ・プラットフォーム１４、カメラ３６および／または支持ケーブル１６は、支持ケーブル１６、繋ぎケーブル３４、カメラ・プラットフォーム１４および／またはカメラ３６とが視覚ラインに延びるとその広告に追加の注意を惹く色々の広告媒体をその上に取り付け、固定し投影してもよい。加えて、少なくともカメラ３６を観客席領域６２の観客の少なくとも幾人かの視覚ライン６４内に延ばすことにより注視領域６０で行なわれているイベントのクローズ・アップ・映像を捕らえることができる。
【００４８】
好ましい実施例では、注視領域６０とは、フットボール・フィールド、バスケット・コート、サッカー・フィールド、野球場、ホッケイ・リンク、レスリング・マット、劇場のステージ、ボーダ(カーテン)での区切り、水平プール、トラック、スケート・リンク、競技トラックおよび／または会議場の床を含むが、これらに限らない。映像撮影メカニズム１０は上記に挙げたフィールド競技のいずれか、あるいは競技場と組み合わせられている観客席領域６２のいずれかでビデオあるいは静止映像を撮るのに使用される。更に、カメラ３６は制御器４０により、その後の販売あるいは、セキュリティのためのようなその他の使用に競技場２８の観客席領域６２の観客のようないずれか１人あるいはそれ以上の人のビデオあるいは静止映像を撮るようにしてもよい。
【００４９】
支持プラットフォーム１２およびカメラ・プラットフォーム１４が競技場を動き回るので、カメラ３６は望ましい映像を捕らえるのに一般的に害となる振動あるいはその他の不安定性を受ける。好ましい実施例では、コンピュータ化された制御システムであるのが好ましい制御器４０が、カメラ・ウィンチ１８と支持ケーブル１６とを作動制御して、注視領域６０に対しカメラ・プラットフォーム１４を安定化させるために用いられる。例えば、制御器４０は、カメラ・ウィンチ１８がカメラ・プラットフォーム１４を支持プラットフォーム１２に対し移動させるようになされている速度を制限するようにプログラムされている。加えて、制御器４０は支持プラットフォーム１２が支持ケーブル２０に沿って移動するにつれ支持プラットフォーム１２の速度、加速および／または減速を制限するようにプログラムされている。好ましい実施例では、制御器４０は１時間当たり２０マイル(２０ＭＰＨ)の割合で移送ケーブル２０上の支持プラットフォーム１２の移動を制御でき、１秒当たりほぼ１０フィート(１０ｆｔ／ｓ)の割合で支持プラットフォーム１２に対しカメラ・プラットフォーム１４を昇降することができる。制御器４０は１時間当たり２０マイルの割合で移送ケーブル２０に沿って支持プラットフォーム１２を移動させ、１秒当たり１０フィートの割合でカメラ・プラットフォーム１４を支持プラットフォーム１２に対し移動させることに限定されず、支持プラットフォーム１２とカメラ・プラットフォーム１４とを競技場２８に対しほぼどのような割合で移動させてもよい。好ましい映像撮影メカニズムの構成要素はほぼどの速度でも競技場を動き回ってもよく、映像撮影メカニズム１０がその所望の機能を果たし、装置の構造への損傷を制限させ得るほぼどの割合で加速および／または減速してもよい。
【００５０】
図１、２および７を参照すると、好ましい実施例では、制御器４０は、カメラ軸３０を中心に、ほぼ水平軸６８を中心に、そしてカメラ軸３０の垂直方向で支持プラットフォーム１２に対し、少なくともカメラ・プラットフォーム１４を移動させるようにカメラ・ウィンチ１８を制御できる。従って、制御器４０はカメラ３６の方向あるいは視覚ラインを修正して映像を撮るため競技場２８の色々の場所にカメラ３６を向けることができる。
【００５１】
好ましい実施例では、カメラ３６は、水平軸６８にほぼ平行な軸を中心に揺動させ、カメラ軸３０を中心に揺動させるカメラ・ヨーク７０によりカメラ・プラットフォーム１４に取り付けられている。カメラ・ヨーク７０とカメラ・プラットフォーム１４に対するカメラ３６のこの好ましい移動により、映像撮影メカニズム１０あるいは競技場２８の構造物により邪魔されない、競技場２８のほぼどの部分にもあるいはその外側にカメラ３６の視覚ラインを向けれる。従って、カメラ３６はその視覚ライン内にあるほぼ如何なる物の静止および／またはビデオ映像をも撮ることができる。カメラ・ヨーク７０に対する、およびこの上でのカメラの移動は、当業者には理解されるように、無線周波数装置４２を用いてカメラ３６に直接、支持ケーブル１６のハード配線を介して支持ケーブル１６の繋ぎ材３４を通って送られた信号により、あるいは制御器４０からカメラ３６および／またはカメラ・ヨーク７０へ制御信号を向けることのできるその他どの方法ででも、制御器４０によって向けられるのが好ましい。
【００５２】
第１の好ましい実施例の映像撮影メカニズム１０は特に、とりわけバスケットボール競技あるいはフットボール・フィールドのようなスポーツ競技に使用されるのに便利である。好ましい映像撮影メカニズム１０はフィールド５４での競技のビデオおよび／または静止映像を撮ることができ、観客席領域６２のその他の人あるいは観客の静止および／またはビデオ映像を撮ることができる。これら映像の各々は、その後、競技を促進あるいはそれについてのニュースを報告するため観客あるいはメディヤ企業に販売するため用いられる。然し、上記のように、好ましい映像撮影メカニズム１０はスポーツ競技場２８に限らず、開催場所でのセキュリティのため、コンサートでも同様に映像を撮るため、そのような映像が望まれるほぼどの場所でもビデオあるいは静止映像を撮るため用いられる。例えば、映像撮影メカニズム１０は特別のイベントのため野外で、パレードのためには都市道路上であるいは操作者が映像を撮ろうとするほぼどの場所でも組み立てることができる。
【００５３】
支持プラットフォーム１２は、移送ケーブル２０、スコアボード２８ｂ、あるいは競技場２８の屋根２８ａに取り付けられることに限らない。例えば、支持プラットフォーム１２は、競技場２８の頂部上あるいはその周囲で部分的に伸長するケーブルあるいはレールに取り付けてもよい。そのような形態によりカメラ３６を競技場２８の観客席領域６２に居る観客に近接して配置でき、また、観客の映像を撮るため近接でき、スピーカあるいは音響レシーバにより観客と連絡して２つの方法でのコミュニケーションを提供できる。
【００５４】
多数のカメラ３６を、競技場２８内あるいはその周囲の場所の色々の静止あるいはビデオ映像を撮るため、カメラ・プラットフォーム１４に取り付けてもよい。これらカメラ・プラットフォーム１４に取り付けられた多数のカメラ３６により、異なる場所での多数のビデオあるいは静止写真が同時に撮れるという点で使用者には融通性を追加することになる。制御器４０は、異なる仕事を同時に行なうため、あるいは色々のイベント中あるいは異なる環境条件で多数のカメラ３６の幾つかを用いるため多数のカメラ３６を制御するようにプログラムされている。例えば、多数カメラ３６の１つは、観客席領域６２の観客の映像を撮るだけのため、もう１つのカメラ３６は注視領域６０での活動のビデオ映像を撮るのに、そしてもう１つのカメラ３６は暗くて照明が限られている条件で用いられる。
【００５５】
好ましい映像撮影メカニズムと組み合わせられたスピーカおよびその他の音響通信メカニズムを、又、いずれかの侵入者に競技場２８から出てゆくように警告するようなセキュリティの目的で用いてもよい。更に、プロジェクタ３２は、競技場２８が閉鎖されている場合、動作センサが動作を検知する場所を照明するのに使用される。そのような照明は侵入者に異なる効果を与え得る。好ましい映像撮影メカニズム１０は、倉庫、出荷ターミナル、港、アミューズメント・パーク、劇場、公共の広場、会議場、市街地、中庭、ショッピング・モール、刑務所およびその他同様の場所２８を含む色々のセキュリティの用途に用いられる。
【００５６】
生物測定センサ(図示略)を、制御器４０と連絡して、使用者を、その場所２８で興味のある個人あるいは物体に向けるセンサ５２と組み合わせている。この生物測定センサはその場所２８で興味のある個人あるいは物体を識別することができるのが好ましい。セキュリティのために、映像撮影メカニズム１０は照明、マイクロフォン、スピーカ、兵器、群集制御装置等、およびセンサ５２あるいは一般的に制御器４０により制御されるその他の特徴あるいは要素を含む。
【００５７】
第１および第２アンカー２２、２４はその場所２８の一部分あるいはその場所２８に取り付けられたポールあるいはトラス構造からなるのが好ましい。然し、第１および第２のアンカー２２、２４とは場所２８に固定されるか。その１部を形成することに限定されず、映像撮影メカニズム１０により映像を撮るため場所２８で、あるいはこの近くで暫定的に建てられる、クレーン、足場あるいはその他の運搬し易く比較的簡単に組み立てられる支持体のような運搬可能な支持体でもよい。
【００５８】
図１および図３を参照すると、第１の好ましい実施例では、映像撮影メカニズム１０は、上記のバッテリ３８、広告媒体３２、制御器４０と無線周波数装置４２とを、支持プラットフォーム１２上のペイロード(有効荷重)として取り付けることに限定されない。例えば、支持プラットフォーム１２は映像撮影メカニズム１０用の四角形部品、広告媒体のスペア３２あるいは映像撮影メカニズム１０と共に場所２８で使用するのに有用であるほぼどのその他のアイテムを含む。これらの追加のアイテムは後で映像撮影メカニズムと共に、あるいは場所２８で使用するため支持プラットフォーム上に保管されている。
【００５９】
好ましい実施例では、映像撮影メカニズム１０の操作者は、一般に、このメカニズム１０が用いられている場所に、あるいはこれに近く位置する。然し、操作者は場所２８にあるいはこの近くに位置することに限らず、操作者と制御器４０との連絡がなされるほぼどの位置にも居れる。操作者は、制御器４０をモニターするため、開催地２８の記者席あるいはテレビ・スタジオあるいは開催地２８から離れたスタジオに居てもよい。加えて、制御器４０は、映像撮影メカニズム１０に関連する各種の仕事を達成する多数の制御ユニットから構成されている。
【００６０】
センサ５２の動作センサあるいは特定のホーミング(帰巣)装置に追従するセンサが、開催場所２８の特定の場所に焦点を合わせるよう制御器４０を向けるのに用いられる。例えば、ホーミング装置は開催場所２８での競技用に用いられているボールに位置し、カメラ３６がそのボールにコンスタントに焦点を合わせ、あるいは特定の開催地での多数のカメラ３６が全てホーミング装置、例えば、ボールの中のホーミング装置に焦点を合わせられる。更に、カメラ・プラットフォーム１４に取り付けられた多数のカメラ３６のうちの１つのカメラ３６がホーミング装置を追い、その間カメラ・プラットフォーム１４に取り付けられたその他のカメラ３６は、競技中観客席領域６２の観客の映像を撮影するため独立して操作者により制御されるか、あるいは制御器４０により向けられる。
【００６１】
カメラ３６からのビデオあるいは静止映像が(望ましくない程遅く動く水平線になる遅い船のような動きのような)低周波数であれ、(凸凹道を移動する車からのビデオのような)高周波数であれ、望ましくない動作を示さないように、映像撮影メカニズム１０がその開催場所２８を動き回る際、カメラ３６および／またはカメラ・プラットフォーム１４を安定化させることが望ましい。上記のように、制御器４０は自動制御して、カメラ３６あるいはカメラ・プラットフォーム１４に安定性を与え、映像を変化させて撮影した映像に安定性を現せ、あるいは映像撮影メカニズム１０の構造はカメラ・プラットフォーム１４とカメラ３６との安定性を向上するように形成されている。例えば、制御器４０は、風あるいはスタジアムあるいは開催場所２８の動きのような騒動があっても、カメラ３６とその結果撮影された映像を比較的安定した状態で維持するようにプログラムされている。
【００６２】
好ましい実施例では、支持ケーブル１６は比較的細く、直径がほぼ１mmあるいはそれ未満であるのが最も好ましい。支持ケーブル１６は、釣り糸のような、鮮明な単線条糸からなるか、あるいはカメラ・プラットフォーム１４へ、又は、これから制御器４０あるいは支持プラットフォーム１２上か、映像撮影用メカニズム１０と関連したその他のペイロードに信号を送信するための光ファイバー・ケーブルであってもよい。比較的細くて部分的に透明な支持ケーブル１６は観客席領域６２の光景に対する障害物を制限し、これが望ましい。この比較的細い支持ケーブル１６は、又、これが開催場所２８での太陽および／または光と、注視領域あるいは観客席領域６２との間に位置する結果生じる影を制限する。
【００６３】
図１から図４を参照すると、支持プラットフォーム１２と、カメラ・プラットフォーム１４と支持ケーブル１６とからなる好ましい形態は、スチュワート(Ｓｔｅｗａｒｔ)プラットフォームと称される。このスチュワート・プラットフォーム形態は、カメラ・プラットフォーム１４を支持するのに使用される、少なくとも６本の好ましい、独立した支持ケーブル１６を提供する。
【００６４】
制御器４０は、カメラ３６とカメラ・プラットフォーム１４が延びて、注視領域あるいは開催場所２８の観客席領域６２に居る個人と接触しないように設計されているのが好ましい。例えば、制御器４０は、カメラ３６とカメラ・プラットフォーム１４とが、受け取り面５４、観客席領域６２あるいは観客が位置する開催地のどの部分からも７フィート(７´)より近づかないようカメラ・ウィンチ１８と移送ウィンチ２６とを制御する。更に、繋ぎ材３４の大きさは、カメラ・ウィンチ１８が、受け取り面５４に対し上記の好ましい距離よりも近い位置にカメラ・プラットフォーム１４とカメラ３６とを放すことができても、繋ぎ材３４がカメラ・プラットフォーム１４および／またはカメラ３６が移動中、その移動を開催地２８の個人から所定の距離までに制限するような大きさである。カメラ３６とカメラ・プラットフォーム１４とは、注視領域６０、観客席領域６２、開催場所２８の観客あるいはその他の部分から上記の距離離すことに限定されず、特定の出願に基づき当業者により決定されるように、これらのアイテムからほぼどの距離で離れていてもよく、又はこれらのアイテムのどれかあるいは全てと接触させてもよい。
【００６５】
図１から図８を参照すると、好ましい実施例の映像撮影メカニズム１０は開催場所２８内あるいはその外側に配置してもよく、多数のプラットフォーム１２，１４、とケーブル１６、２０、３４とは開催場所２８内あるいはその外側で、広い範囲に亘る各種の蓋いを提供する。例えば、１つの移送ケーブル２０が競技場の中央に亘ってのび、注視領域６０および／または観客席領域６２の活動の広汎で興奮する光景を提供する。あるいは又、追加で別個の移送ケーブル２０を、開催場所２８の端部領域、端部ライン、サイドライン、ベースラインに沿い、あるいはこの周りに対角線上に配置して、注視領域あるいは観客席領域６２内の活動の種々の光景を提供する。映像撮影メカニズム１０と組み合わせられた別個のカメラ３６は１人あるいは複数の操作者により操作されてもよく、同じカメラ・プラットフォーム１４に取り付けられた別個のカメラ３６は異なる操作者により操作されてもよい。更に、上記のように、幾つかのカメラ３６は制御器４０により自動的に操作され、注視領域６０での活動の特定の部分を追い、観客席領域６２の映像を撮影する。制御器４０によるカメラ３６の制御は一般にカメラ３６が“スレーブ(従動)”されていると称されている。
【００６６】
図１、３および４とを参照すると、繋ぎ材３４は、カメラ・プラットフォーム１４に装着されると緊張状態にバイアス(付勢)される。例えば、繋ぎ材３４は、バイアスされてこの繋ぎ材３４を緊張させる取上げリール(図示略)に取り付けても、繋ぎ材３４をカメラ・プラットフォーム３４に対し緊張状態に維持するバネ(図示略)に装着されてもよい。繋ぎ材３４を緊張状態に維持すると映像撮影メカニズム１０のその他の構成要素との起こり得るもつれを制限し、映像撮影メカニズム１０のその他の部分が故障してもフェイル・セイフ(安全)ケーブルとなり、繋ぎ材３４用の便利な格納庫を提供する。更に、繋ぎ材３４を緊張状態に維持するとカメラ・プラットフォーム１４とカメラ３６とに対し追加の安定を与える。
【００６７】
図１から図４を参照すると、第１の好ましい実施例では、６つのカメラ・ウィンチ１８が、支持プラットフォーム１２に対し、カメラ・プラットフォーム１４とカメラ３６とを移動するのに使用される。然し、６本のカメラ・ケーブル１６は、又、１つのカメラ・ウィンチ(図示略)と共にあるいは、支持ケーブル１６の最大数と１つのカメラ・ウェインチとの間のほぼどれかの数のウィンチと共に、カメラ３６に対してのカメラ・プラットフォーム１４の移動を制御するのに使用される。例えば、１つのカメラ・ウィンチ１８は支持プラットフォーム１２の中央に取り付けられ、６本の支持ケーブル１６の各々は別個のカメラ・ウィンチ１８に装着される。そのような形態では、１つのカメラ・ウィンチ１８を一方向に作動させるとカメラ・プラットフォーム１４とカメラ３６とを支持プラットフォーム１２に向けて移動させ、カメラ・ウィンチ１８を反対方向に作用するように作動させるとカメラ・プラットフォーム１４とカメラ３６とを支持プラットフォーム１２から遠のける。然し６つのカメラ・ウィンチ１８と６本の支持ケーブル１６とを使用すると、当業者には理解されるように、支持プラットフォーム１２に対しカメラ・プラットフォーム１４とカメラ３６との方向を択一的に選択でき、カメラ３６の位置決めに対し追加の融通性を与える。
【００６８】
図３と図６とを参照すると、映像撮影メカニズム１０´´の第３の好ましい実施例では、支持プラットフォーム１２´´、支持ケーブル１６´´およびカメラ・プラットフォーム１４´´が、開催地の色々の、好ましくは比較的高い位置８０で、４つの移送ウィンチ２６´´に取り付けられている４つの移送ケーブル２０´´上で開催地２８を動き回るように取り付けられている。この形態では、移送ウィンチ２６´´と移送ケーブル２０´´とは米国特許第４,７１０,８１９号に開示されている装置と同様の方法で作用する。然し、本発明の第３の好ましい実施例の映像撮影メカニズム１０´´の支持プラットフォーム１２´´、カメラ・プラットフォーム１４´´とこれらと組み合わせられたケーブル１６´´との好ましい構造と機能が組み込まれている。
【００６９】
操作に際し、映像撮影メカニズム１０、１０´、１０´´は開催地２８に対しあるいはこの内にあるいは別の位置で固定されており、支持プラットフォーム１２は注視領域６０の少なくとも１部分上に渡って配置されている。カメラ・プラットフォーム１４は、カメラ３６の移動領域内のほぼどこでもよい映像撮影位置に向けて支持プラットフォーム１２に対し移動される。例えば、移送ウィンチ２６は作動されると、移送ケーブル２０に沿ってほぼどこにでも支持プラットフォーム１２を移動させ、カメラ・ウィンチ１８は作動されるとカメラ・プラットフォーム１４とカメラ３６とを支持プラットフォーム１２に向け、そしてこれから離れるように移動させ、カメラ３６はカメラ・ヨーク７０を用いて傾けられおよび／または揺動され、カメラ３６を目標領域に向ける。更に、各種カメラ・ウィンチ１８を異なる量作動させて、カメラ・プラットフォーム１４とカメラ３６とが、水平軸６８にほぼ平行な、平面でほぼ水平位置から、カメラ・プラットフォーム１４  がこの水平位置に対しカメラ・ピッチ角度Ω(図７)を形成する位置まで移動される。カメラ３６は目標に焦点を合わせ、このカメラ３６を用いて目標の映像が撮られる。撮られた映像は制御器４０に送られ、ここに記憶される。制御器４０はこの映像を、配布用あるいは別の監視あるいはその他の用途のため制御スタジオに送信する。
【００７０】
カメラ３６は特に開催地２８の受け取り面５４上のフィールドの目標領域に焦点を合わせ、別のカメラ３６を観客席領域６２の観客の目標領域に焦点を合わせてもよい。一般に静止カメラ３６を用いて、観客席領域６２に居る観客の静止映像が撮られるが、そのような撮影映像は静止映像に限定されず、ビデオ映像からなってもよい。加えて、競技中は、ビデオ・カメラ３６により注視領域６０のビデオ映像が撮られるのが好ましいが、同様にこれに限定されない。
【００７１】
図９を参照すると、制御器４０に記憶された映像はハード配線を介して、あるいは無線周波数装置４２あるいはどれかその他の連絡システムあるいは装置により放送トラック／制御室７２  に送信される。この放送トラック／制御室７２はついでこの映像を編集し、配布用に直接この映像を送信し、記憶し、その後あるいは直ぐに使用するため映像をその他の方法で操作する。
【００７２】
図１から４と図８とを参照すると、例えば、映像撮影メカニズム１０がスポーツ競技場に取り付けられると、競技あるいは練習から取られた映像は制御器４０あるいは放送トラック／制御室７２に記憶され、その後ソートされ、コーチ、選手、観客あるいはその映像を見ることのできるその他のほぼ誰にでも見られる。この映像は、ダウンと距離、或る競技状況の傾向、選手に特定されるイベント、練習あるいは競技中の特定の選手のような識別可能な規準およびその他の関連規準により記憶される。そのように記憶された映像は、ついで、個々の選手用の教育器具としてコーチにより用いられる。開催場所２８でのイベントの参加者によって用いられれば、選手は記憶された映像を選択し、その映像を直接コーチおよび／またはスカウトに送る。選手は、又、制御器４０および／または放送トラック／制御室７２に記憶された撮影映像を、目的とするパーティ用に便利なパッケージに編集してもよい。更に、開催場所２８でのイベントの参加者あるいは観客は、個人用に特定の映像を検索し、編集してパッケージにできる。学会も、又、その後の放送あるいは販売用に、記憶された映像を収集し、編集し、送信していもよい。
【００７３】
図１、２および４を参照すると、広告媒体３２を用いる好ましい実施例の映像撮影メカニズム１０、１０´、１０´´は又特に開催地２８での、飛行する広告板として適用できる。広告媒体３２は比較的融通性があり適合性があり、映像撮影メカニズム１０の色々の部分に取り付けられた旗、バックリットサイン、プロジェクタ３２を用いて開催場所２８に投影された映像、液晶ディスプレイ(ＬＣＤ)を含む電子サイン、プラズマ・ビデオ・サイン、発光ダイオード列(ＬＥＤ)、蛍光サイン、ネオン・サインあるいはその他の同様のサイン、映像撮影メカニズム１０の構成要素に取り付けられたビデオ・スクリーンあるいは特に映像撮影メカニズムそれ自体に向けられた広告媒体３２とを含む。
【００７４】
図３および図４とを参照すると、好ましい実施例では、移送ウィンチ２６を作動させて、技術者がメンテナンスを行い、広告媒体３２を修正し、追加のカメラ３６を加えたり、カメラ・プラットフォーム１４から取除いたりあるいは開催場所２８の高い所まで上ることなく映像撮影メカニズム１０に関する仕事をその他の方法で行えるように、支持プラットフォーム１２、支持ケーブル１６、カメラ・プラットフォーム１４およびカメラ３６とを、受け取り面５４に対し或る位置にまで移動させる。好ましい映像撮影メカニズムのそのようなメンテナンスにより、技術者に対する安全性を向上させ、一般に映像撮影メカニズム１０のルーティン・メンテナンスと修正とを簡単にする。
【００７５】
本発明は、２００６年９月７日出願の名称が“イベント参加者の映像の位置決め、回収、編集および印刷システム”である同じく出願中の米国特許出願に関連している。この関連出願は、撮影、編集、印刷および撮影した映像を配布し、その顧客者のために特徴を提供する、ここに記載した好ましい映像撮影メカニズム１０、１０´、１０´´に類似の映像撮影メカニズムを用いて制御する各種方法に関する。この関連出願全体をそれを言及することによりここに組み込む。
【００７６】
上記の実施例には、本発明の広い発明的概念を逸脱することなく、変更が可能なことは当業者には分ることである。例えば、本発明の映像撮影メカニズムの好ましい実施例は、セキュリティの提供、会議でのビデオおよび静止映像、危険な清掃場所の音響観察および監視、その他同様の用途のような、スポーツ・イベントでのビデオおよび静止映像の撮影以外のいくつかの追加の用途にも用いられる。よって、本発明は、開示された特定の実施例に限られず、添付特許請求の範囲に記載されている本発明の精神と範囲内での変形例もカバーするものである。
【図面の簡単な説明】
【００７７】
【図１】本発明の第１の好ましい実施例による映像撮影メカニズムの正面図である。
【図２】図１に示されている映像撮影メカニズムの正面図、図２Ａは、図２の線２Ａ−２Ａに沿う部分横断面図である。
【図３】競技場に取り付けられた、図１の映像撮影メカニズムの正面図である。
【図４】開催場所に取り付けられた図１に示されている映像撮影メカニズムのより詳細な正面図である。
【図５】本発明の第２の好ましい実施例による映像撮影メカニズムの平面図である。
【図６】本発明の第３の好ましい実施例による映像撮影メカニズムの平面図である。
【図７】図１に示されている映像撮影メカニズムのカメラ取り付け具に取り付けられたカメラの正面図である。
【図８】図１に示されている映像撮影メカニズムの制御システムの略ブロック図である。
【図１】
2009514268.tif 000003
【図２】
2009514268.tif 000004
【図３】
2009514268.tif 000005
【図４】
2009514268.tif 000006
【図５】
2009514268.tif 000007
【図６】
2009514268.tif 000008
【図７】
2009514268.tif 000009
【図８】
2009514268.tif 000010
【手続補正書】
【提出日】平成18年9月7日(2006.9.7)
【手続補正１】
【補正対象書類名】特許請求の範囲
【補正対象項目名】全文
【補正方法】変更
【補正の内容】
【特許請求の範囲】
【請求項１】
１．カメラ軸に取り付けられた支持プラットフォームと、
上記の支持プラットフォームから複数の支持ケーブルで吊るされたカメラ・プラットフォームであって、上記の複数の支持ケーブルの各第１端は、支持プラットフォームに、その各第２端はカメラ・プラットフォームに固定されており、これら複数の支持ケーブルの各々は上記のカメラ軸に対し支持角度を形成し、
上記のカメラ・プラットフォームに取り付けられたカメラと、
撮影された映像とカメラとの少なくとも１つを安定化させるためにカメラと組み合わせられていて、上記の複数の支持ケーブルと、ダンパと、バネと、支持プラットフォームに対しカメラ・プラットフォームの移動を制御する制御器と、ジャイロスコープと、フライホイールと、支持プラットフォームの動的大きさの修正と、カメラで撮った映像の後処理と、コンスタンとに緊張している支持ケーブルと、起こり得る不安定を予想するセンサと、映像撮影メカニズムの移動を制限する制御器との少なくとも１つとを含む安定化メカニズムと
からなる目標の映像を撮影するための映像撮影メカニズム。
【請求項２】
更に、支持プラットフォームに取り付けられ、第３端および第４端とを有する移送ケーブルと、
上記の第３端が取り付けられた第１アンカーと、
上記の第４端が取り付けられた第２アンカーとを備え、支持プラットフォームが第１および第２アンカーに対し移動自在である請求項１に記載の映像撮影メカニズム。
【請求項３】
上記複数の支持ケーブルが第１、第２、第３、第４、第５および第６番目の支持ケーブルからなり、これらの複数の支持ケーブルが、第１、第２、第３、第４、第５および第６番目のカメラ・ウィンチにより支持プラットフォームに取り付けられている請求項１に記載の映像撮影メカニズム。
【請求項４】
更に、カメラ・プラットフォームおよび支持プラットフォームの少なくとも１つに取り付けられた広告媒体を備える請求項１に記載の映像撮影メカニズム。
【請求項５】
上記の広告媒体が、カメラ・プラットフォームおよび支持プラットフォームの少なくとも１つに固定されている旗からなり、この旗には広告が印刷されている請求項４に記載の映像撮影メカニズム。
【請求項６】
更に、支持プラットフォームからカメラに延びる繋ぎケーブルを備える請求項１に記載の映像撮影メカニズム。
【請求項７】
上記の繋ぎケーブルが光ファイバー・ケーブルからなる請求項６に記載の映像撮影メカニズム。
【請求項８】
更に、複数個のカメラ・ウィンチが支持プラットフォームに取り付けられており、上記複数個のカメラ・ウィンチの各々が複数の支持ケーブルの１つと組み合わせられており、カメラ・ウィンチは、支持プラットフォームに対しカメラ・プラットフォームを移動するように作動可能であり、
上記の制御器がカメラ・ウィンチと連絡している請求項１に記載の映像撮影メカニズム。
【請求項９】
更に、第１移送ケーブルと第２移送ケーブルが支持プラットフォームに取り付けられており、この支持プラットフォームは第１および第２移送ケーブルに沿って移動自在であり、
第１および第２スプレッダ・バーが第１および第２移送ケーブルに取り付けられており、第１および第２スプレッダ・バーがスプレッダ長さを有し、第１および第２スプレッダ・バーが第１および第２ケーブルを分離させている
請求項８に記載の映像撮影メカニズム。
【請求項１０】
バッテリが支持プラットフォームに取り付けられて、パワーを少なくともカメラに供給し、
上記の制御器が支持プラットフォームに取り付けられており、少なくともカメラにより撮影された映像を記憶し、
無線周波数装置が支持プラットフォームに取り付けらおり、カメラからの映像の少なくとも１つを制御器に送信し、指令信号を制御器からカメラにそしてこの指令信号を制御器からカメラ・ウィンチに送信する請求項８に記載の映像撮影メカニズム。
【請求項１１】
支持プラットフォームとカメラ・プラットフォームとが上記のカメラ軸上同軸方向に取り付けられている請求項１に記載の映像撮影メカニズム。
【請求項１２】
更に、複数個のカメラ・ウィンチが支持プラットフォームに取り付けられており、支持プラットフォームが開催場所の一部を構成する請求項１の映像撮影メカニズム。
【請求項１３】
更に、支持プラットフォームとカメラ・プラットフォームとの１つに取り付けられたプロジェクタを備え、このプロジェクタが制御器と連絡していて、広告サインをカメラ・プラットフォームの下方の受け取り面に向ける請求項１に記載の映像撮影メカニズム。
【請求項１４】
支持ケーブルが複数個の支持ケーブルからなり、安定化メカニズムが、支持プラットフォームから支持角度でのびる複数個の支持ケーブルの少なくとも１つと、複数の支持ケーブルに取り付けられたダンパ緩衝器と、支持プラットフォームに対するカメラ・プラットフォームの移動を制御する制御器と、ジャイロスコープと、フライホイールとからなる請求項１に記載の映像撮影メカニズム。
【請求項１５】
更に、複数のカメラ・ウィンチが支持プラットフォームに取り付けられており、複数の支持ケーブルの第１端がカメラ・ウィンチに取り付けられていて、
上記の制御器がカメラ・ウィンチとカメラ・プラットフォームとに連絡しており、
安定化メカニズムが、注視領域に対しカメラ・プラットフォームを安定化させるため上記の複数のカメラ・ウィンチを作動制御する制御器を含む請求項１に記載の映像撮影メカニズム。
【請求項１６】
上記の制御器が、上記のカメラ軸およびほぼ水平の軸を中心に、カメラ・プラットフォームを支持プラットフォームに対し移動させるようにカメラ・ウィンチを制御する請求項１５に記載の映像撮影メカニズム。
【請求項１７】
注視領域、観客席領域と視覚ラインとを有する開催場所で映像を撮影するための映像撮影メカニズムであって、
上記の開催場所に対し移動自在であり、視覚ラインの外側に位置する支持プラットフォームと、
上記の支持プラットフォームに取り付けられた少なくとも１つのカメラと、
上記の支持プラットフォームから、少なくとも１つの支持ケーブルにより吊るされたカメラ・プラットフォームであって、上記の少なくとも１つの支持ケーブルが少なくとも１つのカメラ・ウィンチに固定されていて、上記のカメラ・プラットフォームが、少なくとも１つのカメラ・ウィンチにより支持プラットフォームに対し少なくとも垂直方向に移動自在であるものと、
カメラ・プラットフォームに取り付けられたカメラと、
支持プラットフォームに取り付けられた広告媒体と
からなる映像撮影メカニズム。
【請求項１８】
上記の広告媒体が旗からなり、この旗には広告が印刷されている請求項１７に記載の映像撮影メカニズム。
【請求項１９】
広告媒体がメッセージ・ボードからなり、このメッセージ・ボードが広告媒体上で連続的に広告を変化させ、制御器が広告媒体と連絡していて、広告を所定時間間隔で変化させる請求項１７に記載の映像撮影メカニズム。
【請求項２０】
観客席領域と注視領域とを有する競技場で映像を撮影するための映像撮影メカニズムであって、視覚ラインが観客席領域と観察会場との間に形成され、
上記の競技場に対し移動自在であり、もっぱら視覚ラインの外側で移動自在である支持プラットフォームと、
上記の支持プラットフォームから複数の支持ケーブルにより吊るされていて、支持プラットフォームに対し移動自在であるカメラ・プラットフォームと、
観客席領域と注視領域の少なくとも１つの映像を撮影するため、カメラ・プラットフォームに移動自在に取り付けられているカメラと
からなる映像撮影メカニズム。
【請求項２１】
更に、制御器が支持プラットフォームと、カメラ・プラットフォームと、カメラと連絡している請求項２０に記載の映像撮影メカニズム。
【請求項２２】
更に、少なくとも１つのセンサが制御器と連絡している請求項２１に記載の映像撮影メカニズム。
【請求項２３】
上記の少なくとも１つのセンサが動作センサからなり、上記の制御器が、動作センサからの動作領域の動きの表示に基づいて動作領域に焦点を合わせるようカメラを向ける請求項２２に記載の映像撮影メカニズム。
【請求項２４】
注視領域が競技フィールドからなる請求項２０に記載の映像撮影メカニズム。
【請求項２５】
観客席領域と注視領域とを有する競技場で、支持プラットフォームと、この支持プラットフォームから複数の支持ケーブルにより吊るされているカメラ・プラットフォームと、制御器と、上記の競技場に対し移動自在であるカメラとを含む映像撮影メカニズムで映像を撮影する方法であって、
ａ)  少なくとも注視領域の一部に亘って支持プラットフォームを位置決めし、
ｂ)  上記の支持プラットフォームに対し、カメラ・プラットフォームを映像撮影個所へ移動させ、
ｃ)  カメラを目標に向けるため、カメラ・プラットフォームに対しカメラを移動させ、カメラ・プラットフォームが、上記の注視領域に対しほぼ水平位置から、カメラ・プラットフォームが上記の水平位置に対しカメラ・ピッチ角度を形成する位置まで移動し、
ｄ)  目標にカメラの焦点を合わせ、
ｅ)  目標の映像をカメラを用いて撮影し、撮った映像を制御器に送り、
ｆ)  上記の観客席領域および観察会場の１つの目標の位置を含む識別可能な規準に基づきその映像を記憶する
ことからなる方法。
【請求項２６】
上記の支持プラットフォームが、工程ａ)でこれを、競技場に取り付けた少なくとも１つの移送ケーブルに沿い移動することにより位置決めされ、この移送ケーブルが第３端と第４端とを有し、支持プラットフォームが第３端に近接する位置と第４端に近接する位置との間で移動自在である請求項２５に記載の方法。
【請求項２７】
カメラがビデオ・カメラからなり、このカメラが工程ｅ)でビデオ映像を撮る請求項２５に記載の方法。
【請求項２８】
カメラが、ビデオ・カメラと静止カメラとからなり、更に
ｄ１)  工程(ｄ)で、注視領域のフィールドの目標領域にビデオ・カメラの焦点を合わせ、
ｄ２)  工程(ｄ)で、静止カメラの焦点を観客席領域に合わせ、
ｅ１)  工程(ｅ)で、ビデオ・カメラを用いてフィールドの目標領域のビデオ映像を撮り、
ｅ２)  工程(ｅ)で、観客席領域の光景の静止映像を撮る
ことからなる請求項２５に記載の方法。
【請求項２９】
制御器が動作センサと連絡していて、工程(ｂ)の前に動作センサから動作信号を受け取り、工程(ｄ)での目標が、動作センサがその競技場の動作を感知する領域により形成される動作領域である請求項２５に記載の方法。
【請求項３０】
更に、
ｇ)  工程(ｆ)の記憶映像を、放送トラック、テレビおよび第２次制御器の少なくとも１つに送信する工程(ｇ)を含む請求項２５に記載の方法。
【請求項３１】
開催場所で各個人に広告を出す、この開催場所に取り付けられた広告メカニズムであって、上記の開催場所が観客席領域と、注視領域と、観客席領域と注視領域との間に形成された視覚ラインとを有し、
開催場所に取り付けられた第１アンカーと、
開催場所に取り付けられた第２アンカーと、
第１端と第２端とを有する移送ケーブルであって、その第１端が第１アンカーに、その第２端が第２アンカーに固定されており、
移送ケーブルに移動自在に取り付けられた支持プラットフォームと、
支持プラットフォームが移送ケーブルに対し移動するにつれて各個人が支持プラットフォームと広告媒体に注意が惹かれるように支持プラットフォームに取り付けられた広告媒体とからなり、支持プラットフォームと広告媒体がもっぱら視覚ラインの外側に位置する
広告メカニズム。
【請求項３２】
更に、支持プラットオームから複数の支持ケーブルにより吊り下げられていて、支持プラットフォームに対し移動自在であるカメラ・プラットフォームと、
カメラ・プラットフォームに取り付けられたカメラとを
備える請求項３１に記載の広告メカニズム。
【請求項３３】
更に、支持プラットフォームに取り付けられ、上記の複数の支持ケーブルと組み合わせられている複数個のカメラ・ウィンチと、
カメラ・ウィンチとカメラとに連絡していて、注視領域に対しカメラを安定化させるためカメラ・ウィンチを制御し、注視領域の映像を撮るようカメラを制御する制御器とを
備える請求項３２に記載の広告メカニズム。
【請求項３４】
目標の映像を撮るための映像撮影メカニズムであって、
支持プラットフォームと、
上記の支持プラットフォームから複数のケーブルにより吊るされているカメラ・プラットフォームであって、各支持ケーブルの第１端が支持プラットフォームに、その第２端がカメラ・プラットフォームに取り付けられているものと、
カメラ・プラットフォームに取り付けられたカメラであって、支持プラットフォームとカメラ・プラットフォームとがカメラ軸上同軸方向に取り付けられており、複数の支持ケーブルの各々がカメラ軸に対し支持角度を形成するもの
とからなる映像撮影メカニズム。
【請求項３５】
更に、カメラと連絡する制御器を備え、この制御器が制御信号をカメラに送信し、カメラがこの制御器に、撮った映像を送る請求項３４に記載の映像撮影メカニズム。
【請求項３６】
更に、支持プラットフォームに取り付けられた複数個のカメラ・ウィンチを備え、これら複数個のカメラ・ウィンチの各々が複数の支持ケーブルの１つと組み合わせられており、これら複数個のカメラ・ウィンチが制御器と連絡していて、この制御器が、目標に対しカメラを安定化させるため上記複数個のカメラ・ウィンチに作動信号を与える請求項３５に記載の映像撮影メカニズム。
【請求項３７】
更に、
移送ケーブルが支持プラットフォームに取り付けられ、第３端と第４端とを有し、
第１アンカーであって、この第１アンカーに上記第３端が取り付けられており、
第２アンカーであって、この第２アンカーに上記の第４端が取り付けられており、支持プラットフォームが第１および第２アンカーに対し移動自在である
請求項３４に記載の映像撮影メカニズム。
【請求項３８】
更に、移送ウィンチが支持プラットフォームと移送ケーブルに取り付けられており、
制御器が移送ウィンチと連絡していて、移送信号を移送ウィンチに与え、支持プラットフォームを移送ケーブルに沿い移動させる
請求項３７に記載の映像撮影メカニズム。
【請求項３９】
観客席領域と注視領域とを有する競技場で映像を撮影するための映像撮影メカニズムであって、視覚ラインが上記の観客席領域と注視領域との間に形成されており、
上記の競技場に対し移動自在であり、もっぱら視覚ラインの外側で移動自在である支持プラットフォームと、
上記の支持プラットフォームから支持ケーブルで吊るされ、支持プラットフォームに対し移動自在であるカメラ・プラットフォームと、
観客席領域と注視領域の少なくとも１つの映像を撮影するため、上記のカメラ・プラットフォームに移動自在に取り付けられたカメラと、
撮影された映像とカメラとの少なくとも１つを安定化させるためにカメラと組み合わせられていて、上記の支持プラットフォームから、カメラ軸に対し支持角度で伸びる支持ケーブルと、ダンパと、バネと、支持プラットフォームに対しカメラ・プラットフォームの移動を制御する制御器と、ジャイロスコープと、フライホイールと、支持プラットフォームの動的大きさの修正と、カメラで撮った映像の後処理と、コンスタンとに緊張している支持ケーブルと、起こり得る不安定を予想するセンサと、映像撮影メカニズムの移動を制限する制御器との少なくとも１つとを含む安定化メカニズムと
からなる映像撮影メカニズム。
【請求項４０】
観客席領域と、注視領域と、視覚ラインとを有する開催場所で映像を撮影するための映像撮影メカニズムであって、
上記の開催場所に対し移動自在であり、視覚ラインの外側に位置する支持プラットフォームと、
上記の支持プラットフォームに取り付けられているカメラ・ウィンチと、
上記の支持プラットフォームから複数の支持ケーブルにより吊るされていて、これら複数の支持ケーブルが、カメラ軸に対し支持角度で延びるようにカメラ・ウィンチに固定されており、上記のカメラ・プラットフォームがカメラ・ウィンチの作動により支持プラットフォームに対し少なくとも垂直方向に移動自在であり、
カメラがカメラ・プラットフォームに取り付けられており、
広告媒体が支持プラットフォームに取り付けられている
映像撮影メカニズム。
【請求項４１】
開催場所で各個人に広告を出す、この開催場所に取り付けられた広告メカニズムであって、上記の開催場所が観客席領域と、注視領域と、観客席領域と注視領域との間に形成された視覚ラインとを有し、
開催場所に取り付けられた第１アンカーと、
開催場所に取り付けられた第２アンカーと、
第１端と第２端とを有する移送ケーブルであって、その第１端が第１アンカーに、その第２端が第２アンカーに固定されており、
移送ケーブルに移動自在に取り付けられた第１と第２の支持プラットフォームと、
第１の支持プラットフォームが移送ケーブルに対し移動するにつれて各個人が第１支持プラットフォームと広告媒体に注意が惹かれるように第１支持プラットフォームに取り付けられた広告媒体とからなり、第１と第２の支持プラットフォームとがもっぱら視覚ラインの外側に位置する
広告メカニズム。
【国際調査報告】
2009514268.tif 000011